(57)【特許請求の範囲】
【請求項１】
複数のＬＥＤランプが配列されて成り、屋外に設置されるＬＥＤ表示装置において、
雪を融かすためのヒーターを備えており、
さらに、太陽光を遮光し熱伝導性材料から成るルーバーを表示面に取り外し可能に配置し、該ルーバーへ前記ヒーターによる熱を伝達するための熱伝達部材を設けており、
前記ヒーターが、前記複数のＬＥＤランプの間隙に配置されるように線状で同一面内に一体化して構成されており、さらに、前記ルーバーと熱伝達部材との間に、これらルーバーおよび熱伝達部材から着脱可能に配置されており、
さらに、このヒーターが、熱伝導板またはルーバーに設けられた溝の中に収納されていることを特徴とするＬＥＤ表示装置。
【請求項２】
前記熱伝導板と前記ルーバーとが互いに接していることを特徴とする請求項１に記載のＬＥＤ表示装置。
【発明の詳細な説明】
【０００１】
【発明の属する技術分野】
本発明は、主に屋外にて使用され、文字や映像等の情報を表示するのに用いられるＬＥＤ表示装置に関する。
【０００２】
【従来の技術】
屋外に設置され、文字や映像等の情報を表示するのに用いられるＬＥＤ表示装置は、ＬＥＤランプが縦横に配列されて、駆動回路と共に配線基板に実装されて構成される。そして、表示のコントラストを向上させるために、太陽光がＬＥＤランプに入射しないように太陽光を遮光するルーバーが設けられている。
【０００３】
さらに、このようなＬＥＤ表示装置は、屋外で用いられるので、装置を収納するケースとＬＥＤランプとの空間を、樹脂により充填して、駆動回路部等に雨水が侵入しないように構成されている。
【０００４】
【発明が解決しようとする課題】
しかしながら、従来のＬＥＤ表示装置では、雪が降る頻度の高い地域や積雪が生じ易い地域の降雪地域等に設置する場合、ＬＥＤ表示面に付着した雪が悪影響を与え、表示に障害をもたらしていた。したがって、従来のＬＥＤ表示装置では、このような場所に設置した場合、ＬＥＤランプ点灯によるＬＥＤランプや回路部等のＬＥＤ表示装置自体の自己発熱によって、点灯後長時間経過した後に、表示面に付着した少量の雪が融けるのを待たなければならないような現状である。
【０００５】
本発明は、上記のような課題を解決するためになされたものであって、雪を融かすための融雪用のヒーターを設けることによって、降雪地域等に設置されても、雪の付着による表示への障害を防止することが可能なＬＥＤ表示装置を提供することを目的とする。
【０００６】
【課題を解決するための手段】
上記課題を解決するために、本発明のＬＥＤ表示装置は、複数のＬＥＤランプが配列されて成り、屋外に設置されるＬＥＤ表示装置において、雪を融かすためのヒーターを設けて構成されている。
【０００７】
本発明のＬＥＤ表示装置によれば、雪を融かすためのヒーターを設けてＬＥＤ表示装置を構成しているので、降雪地域等に設置しても、雪の付着による表示への障害を防止することが可能となる。
【０００８】
さらに、本発明のＬＥＤ表示装置では、ヒーターを、複数のＬＥＤランプの間隙に配置されるように線状で一体化して構成し、着脱可能としてもよい。
【０００９】
これによれば、ヒーターを、複数のＬＥＤランプの間隙に配置されるように線状で一体化して構成し、着脱可能としているので、製造が容易でかつメンテナンスが容易となる。更に、ヒーターを取り付ければ降雪地域仕様、取り付けなければ通常地域仕様と、設置場所の仕様に応じて容易にＬＥＤ表示装置を製造することができる。
【００１０】
また、本発明のＬＥＤ表示装置では、太陽光を遮光し熱伝導性材料から成るルーバーを表示面に配置し、そのルーバーへヒーターによる熱を伝達するための熱伝達部材を設けて構成してもよい。
【００１１】
これによれば、太陽光を遮光し熱伝導性材料から成るルーバーとを表示面に配置し、そのルーバーへヒーターによる熱を伝達するための熱伝達部材を設けて構成しているので、高効率にヒーターからルーバーへの熱伝導が行え、融雪効果を更に高めることができる。
【００１２】
さらに、本発明のＬＥＤ表示装置では、熱伝導部材を、複数のＬＥＤランプの間隙に配置されるようにそのＬＥＤランプの形状に対応した穴部が形成された板状で構成してもよい。
【００１３】
これによれば、熱伝導部材を、複数のＬＥＤランプの間隙に配置されるようにそのＬＥＤランプの形状に対応した穴部が形成された板状で構成しているので、ヒーターの熱を表示面に対して均一に伝導することができる。
【００１４】
さらに、本発明のＬＥＤ表示装置では、ヒーターと熱伝導部材とを一体化して構成してもよい。
【００１５】
これによれば、ヒーターと熱伝導部材とを一体化して構成しているので、装置の組み立て工程を削減でき、更に、この一体化した部品を取り付ければ降雪地域仕様、取り付けなければ通常地域仕様と、設置場所の仕様に応じて容易にＬＥＤ表示装置を製造することができる。
【００１６】
また、本発明のＬＥＤ表示装置では、太陽光を遮光し熱伝導性材料から成るルーバーとを表示面に配置し、そのルーバーへヒーターによる熱を直接伝達するように、それらのルーバーとヒーターとを一体化して構成してもよい。
【００１７】
これによれば、太陽光を遮光し熱伝導性材料から成るルーバーとを表示面に配置し、そのルーバーへヒーターによる熱を直接伝達するように、それらのルーバーとヒーターとを一体化して構成しているので、装置の組み立て工程を削減でき、更に、高効率にヒーターから直接ルーバーへの熱伝導が行え、融雪効果を更に高めることができる。
【００１８】
【発明の実施の形態】
以下、本発明の実施の形態について、図面を参照して説明する。第１の実施形態のＬＥＤ表示装置について、図１を用いて説明する。なお、図１（ａ）は本実施形態のＬＥＤ表示装置の斜視図であり、図１（ｂ）はその一部を切り欠いた側面図、図１（ｃ）は図１（ｂ）の領域Ｘの拡大図である。
【００１９】
図１に示すように、第１の実施形態のＬＥＤ表示装置は、複数のＬＥＤランプ１２が基板１３上にマトリクス状に配列されて実装されて、その基板１３がケース１１に収納され、表示面に太陽光を遮光する金属製のルーバー１５が配置されて構成されるＬＥＤ表示装置の内部に、ヒーター１４が設けられたものである。
【００２０】
なお、図示しないが、基板１３には駆動回路も実装され、駆動回路部に雨水が侵入しないように、ケース１１とＬＥＤランプ１２との空間に樹脂等を充填している。
【００２１】
本実施形態のＬＥＤ表示装置によれば、装置内部にヒーター１４を具備しているので、ヒーター１４の熱が表示面に伝導され、表示面に雪が付着しても、その雪を融かすことができる。
【００２２】
なお、ヒーター１４は、ケース１１とＬＥＤランプ１２との空間に充填される防水用の樹脂で装置内部に固定しても良いし、ルーバー１５に貼り付けて固定したり、ルーバー１５の裏面に溝部を形成してその溝部にヒーター１４を収納したり、ルーバー１５と一体化するように構成しても良い。ここで、ヒーター１４を、ルーバー１５に貼り付けて固定したり、ルーバー１５の裏面に溝部を形成してその溝部に収納したり、ルーバー１５と一体化するように構成すれば、ヒーター１４からルーバー１５への熱伝導性が良好になるので、効率良くルーバー１５に付着する雪を融かすことができる。
【００２３】
次に、第２の実施形態について、図２から図５を参照して説明する。なお、図２（ａ）は第２の実施形態のＬＥＤ表示装置のヒーター２４が取り付けられたときの一部を切り欠いた斜視図であり、図２（ｂ）はその一部を切り欠いた側面図である。そして、図３（ａ）は第２の実施形態のＬＥＤ表示装置のヒーター２４を取り外したときの一部を切り欠いた斜視図であり、図３（ｂ）はその一部を切り欠いた側面図である。
【００２４】
図２に示すように、第２の実施形態のＬＥＤ表示装置は、複数のＬＥＤランプ２２が基板２３上にマトリクス状に配列されて実装されて、その基板２３がケース２１に収納され、表示面に太陽光を遮光する金属製のルーバー２５が配置されて構成されるＬＥＤ表示装置の内部に、ヒーター２４とヒーター２４の熱をルーバー２５に伝達する金属製の熱伝導板２６とが設けられたものである。
【００２５】
なお、図示しないが、基板２３には駆動回路も実装され、駆動回路部に雨水が侵入しないように、ケース２１、ＬＥＤランプ２２、及び熱伝導板２６のそれぞれの空間に、防水のための樹脂等を充填している。
【００２６】
本実施形態のヒーター２４は、図４に示すように、複数のＬＥＤランプ２２の間隙に配置されるように線状で同一平面内に一体化して構成され、着脱可能なものである。したっがて、製造が容易でかつメンテナンスが容易となる。
【００２７】
そして、本実施形態の熱伝導板２６を、図５に示す。なお、図５において、（ａ）は表示面方向から見た正面図、（ｂ）は側面図である。
【００２８】
図５に示すように、熱伝導部板２６は、複数のＬＥＤランプ２２の間隙に配置されるようにそのＬＥＤランプ２２の形状に対応した穴部２６ａが形成されている。そして、この熱伝導板２６は、表示面側に凸部２６ｂ及び溝部２６ｃが形成されており、溝部２６ｃにヒーター２４が収納される。また、凸部２６ｂは、ヒーター２４で発生した熱をルーバー２５に伝導するように、ルーバー２５に接触するように構成されている。
【００２９】
本実施形態によれば、上記のように、ルーバー２５と熱伝導板２６との間に図４に示したようなヒーター２４を挟み込むような構成としているので、ヒーター２４を着脱可能として容易に取り外すことができる。したがって、ＬＥＤ装置の製造もメンテナンスも容易となる。更に、ヒーター２４を取り付ければ降雪地域仕様、取り付けなければ通常地域仕様と、設置場所の仕様に応じて容易にＬＥＤ表示装置を製造することができる。
【００３０】
さらに、本実施形態によれば、ルーバー２５へヒーター２４による熱を伝達するための熱伝達部板２６を設けているので、高効率にヒーター２４からルーバー２５への熱伝導が行え、融雪効果をより高めることができる。
【００３１】
さらに、熱伝導部板２６を、複数のＬＥＤランプ２２の間隙に配置されるようにＬＥＤランプ２２の形状に対応した穴部が形成された板状で構成しているので、ヒーター２４の熱を表示面に対して均一に伝導することができる。
【００３２】
また、ルーバー２５は後付けで熱伝導板２６に装着できるので、ルーバー２５を様々な形状のものに変更することができる。
【００３３】
次に、第３の実施形態について、図６を参照して説明する。第３の実施形態のＬＥＤ表示装置は、熱伝導部材にヒーターを一体化するものである。図６（ａ）にヒーター３４を内部に埋め込んだ熱伝導板３６の一部を切り欠いた正面図を示し、図６（ｂ）にその一部を切り欠いた側面図を示す。
【００３４】
図６（ａ），（ｂ）に示すように、本実施形態の熱伝導板３６は、アルミニウム等の金属製から成り、ヒーター３４が内部に埋め込まれて一体化されて構成されるものである。
【００３５】
本実施形態によれば、熱伝導板３６とヒーター３４とを一体化しているので、取り付け工程を１つ省略でき、即ち装置の組み立て工程を削減して簡素化することができる。更に、この一体化した部品を取り付ければ降雪地域仕様、取り付けなければ通常地域仕様と、設置場所の仕様に応じて容易にＬＥＤ表示装置を製造することができる。
【００３６】
次に、第４の実施形態について、図７を参照して説明する。第４の実施形態のＬＥＤ表示装置は、ルーバーにヒーターを一体化するものである。図７にヒーター４４を内部に埋め込んだルーバー４５の一部を切り欠いた正面図を示す。
【００３７】
図７に示すように、本実施形態のルーバー４５は、アルミニウム等の金属製から成り、ヒーター４４が内部に埋め込まれて一体化されて構成されるものである。
【００３８】
本実施形態によれば、ルーバー４５とヒーター４４とを一体化しているので、取り付け工程を省略でき、即ち装置の組み立て工程を削減して簡素化することができる。更に、高効率にヒーターから直接ルーバーへの熱伝導が行え、融雪効果を更に高めることができる。
【００３９】
また、本実施形態によれば、ヒーター４４により発生した熱をルーバー４５に伝導して表示面を均一に加熱することができると共に、熱伝導部材を必要としないのでコスト低減も図することができる。
【００４０】
【発明の効果】
以上のように、本発明のＬＥＤ表示装置によれば、雪を融かすためのヒーターを設けてＬＥＤ表示装置を構成しているので、降雪地域等に設置しても、雪の付着による表示への障害を防止することが可能となる。すなわち、本発明は、従来ＬＥＤ自体の自己発熱に頼っていた融雪を、ヒーターを用いて積極的に行うように構成したものであり、降雪地帯等において積雪の障害を受けないＬＥＤ表示装置の設置を可能とするものである。
【００４１】
また、ヒーターを、複数のＬＥＤランプの間隙に配置されるように線状で一体化して構成し、着脱可能とすることで、製造が容易でかつメンテナンスが容易となる。更に、ヒーターを取り付ければ降雪地域仕様、取り付けなければ通常地域仕様と、設置場所の仕様に応じて容易にＬＥＤ表示装置を製造することができる。
【００４２】
また、太陽光を遮光し熱伝導性材料から成るルーバーとを表示面に配置し、そのルーバーへヒーターによる熱を伝達するための熱伝達部材を設けて構成することで、高効率にヒーターからルーバーへの熱伝導が行え、融雪効果を更に高めることができる。さらに、ヒーターを着脱可能なものとして、融雪機能が不要な場所への設置時にヒーターを取り外しておけば、熱伝導部材をＬＥＤランプや回路部等のＬＥＤ表示装置自体の自己発熱の放熱板として機能させることにより、ＬＥＤ表示装置の自己発熱を抑えることもできる。例えば、ＬＥＤ表示装置の自己発熱を１０％抑えることができれば、装置の寿命が２倍になることが知られており、これにより、装置自体の耐久性を飛躍的に向上させることができる。
【００４３】
さらに、熱伝導部材を、複数のＬＥＤランプの間隙に配置されるようにそのＬＥＤランプの形状に対応した穴部が形成された板状で構成することで、ヒーターの熱を表示面に対して均一に伝導することができる。
【００４４】
さらに、ヒーターと熱伝導部材とを一体化して構成することで、装置の組み立て工程を削減でき、更に、この一体化した部品を取り付ければ降雪地域仕様、取り付けなければ通常地域仕様と、設置場所の仕様に応じて容易にＬＥＤ表示装置を製造することができる。
【００４５】
また、太陽光を遮光し熱伝導性材料から成るルーバーとを表示面に配置し、そのルーバーへヒーターによる熱を直接伝達するように、それらのルーバーとヒーターとを一体化して構成することで、装置の組み立て工程を削減でき、更に、高効率にヒーターから直接ルーバーへの熱伝導が行え、融雪効果を更に高めることができる。
【図面の簡単な説明】
【図１】本発明の第１の実施形態のＬＥＤ表示装置の概略構造を示す図であり、（ａ）は斜視図であり、（ｂ）は一部を切り欠いた側面図であり、（ｃ）は（ｂ）の領域Ｘの拡大図である。
【図２】第２の実施形態のＬＥＤ表示装置の概略構造を示す図であり、（ａ）はヒーターが取り付けられたときの一部を切り欠いた斜視図であり、（ｂ）は一部を切り欠いた側面図である。
【図３】第２の実施形態のＬＥＤ表示装置の概略構造を示す図であり、（ａ）はヒーターを取り外したときの一部を切り欠いた斜視図であり、（ｂ）は一部を切り欠いた側面図である。
【図４】図２に示したヒーター２４の斜視図である。
【図５】図２、３に示した熱伝導板２６の概略構造を示す図であり、（ａ）は表示面方向から見た正面図、（ｂ）は側面図である。
【図６】第３の実施形態のＬＥＤ表示装置のヒーターを内部に埋め込んだ熱伝導板の概略構造を示す図であり、（ａ）は一部を切り欠いた正面図を示し、（ｂ）は一部を切り欠いた側面図を示す。
【図７】第４の実施形態のＬＥＤ表示装置のヒーターを内部に埋め込んだルーバーの概略構造を示す一部を切り欠いた正面図である。
【符号の説明】
１１，２１ ケース
１２，２２ ＬＥＤランプ
１３，２３ 基板
１４，２４，３４，４４ ヒーター
１５，２５，４５ ルーバー
２６，３６ 熱伝導板
【図１】
0003539540.tif 000002
【図２】
0003539540.tif 000003
【図３】
0003539540.tif 000004
【図４】
0003539540.tif 000005
【図５】
0003539540.tif 000006
【図６】
0003539540.tif 000007
【図７】
0003539540.tif 000008